(57)【要約】【課題】制御盤を構成する各部材の形状が簡潔かつ他部材と共通して使用することが可能であって、ストックとして保管する際に必要とする保管スペースが小さく、保管場所の利用効率が良好であるとともに、部材製造工程及び制御盤の組立工程における作業効率が良好である制御盤及びその製造方法を得る。【解決手段】制御盤において、制御用品を取り付ける取付パネルと、制御盤の底面を形成する床パネルと、制御盤の上面を形成し、床パネルと同一形状の天井パネルと、床パネルの四隅部と天井パネルの四隅部との間にそれぞれ立設され、上下対称の形状を呈し、パネル取付部を有し、互いに同一形状の柱パネルと、床パネルと柱パネルとの係合部及び天井パネルと柱パネルとの係合部にそれぞれ宛がわれ、互いに同一形状のガセットと、を備え、取付パネルは、柱パネルのパネル取付部を利用して取り付けられる構成とする。【選択図】図２
2010093877.tif 000002
【特許請求の範囲】
【請求項１】
制御盤に収納する制御用品を取り付ける取付パネルと、
前記制御盤の底面を形成する床パネルと、
前記制御盤の上面を形成し、前記床パネルと同一形状の天井パネルと、
前記床パネルの四隅部と前記天井パネルの四隅部との間にそれぞれ立設され、上下対称の形状を呈し、パネル取付部を有する柱パネルと、
前記床パネルと前記柱パネルとの係合部及び前記天井パネルと前記柱パネルとの係合部にそれぞれ宛がわれるガセットと、を備え、
前記柱パネルは、互いに同一形状であり、
前記ガセットは、互いに同一形状であり、
前記取付パネルは、前記柱パネルの前記パネル取付部を利用して取り付けられることを特徴とする制御盤。
【請求項２】
前記制御用品は、前記取付パネルの片面のみに取り付けられ、
前記取付パネルは、その左右両側面部が前記制御盤の背面側に位置する２つの前記柱パネルの前記パネル取付部に係合されて取り付けられることを特徴とする請求項１に記載の制御盤。
【請求項３】
前記柱パネルの前記パネル取付部間に前記制御盤の奥行方向と平行に取り付けられ、互いに同一形状を呈する複数の側面サポートパネルを備え、
前記制御用品は、前記取付パネルの両面に取り付けられ、
前記取付パネルは、前記柱パネルの前記パネル取付部に前記側面サポートパネルを仲介として取り付けられることを特徴とする請求項１に記載の制御盤。
【請求項４】
前記制御盤に収納する前記制御用品を取り付ける側面取付パネルと、
前記柱パネルの前記パネル取付部間に前記制御盤の奥行方向と平行に取り付けられ、互いに同一形状を呈する複数の側面サポートパネルと、を備え、
前記側面取付パネルは、前記制御盤の側面に配置されて前記柱パネルの前記パネル取付部に前記側面サポートパネルを仲介として取り付けられることを特徴とする請求項１に記載の制御盤。
【請求項５】
請求項１に記載の制御盤を製造する方法であって、
前記取付パネルを製造する第１工程と、
水平な場所にて前記取付パネルに対して前記制御用品の取付及び結線作業を行う第２工程と、
前記第２工程の開始後、前記第２工程の完了に合わせて、前記床パネル、前記柱パネル、前記天井パネル及び前記ガセットを製造する第３工程と、
前記取付パネル、前記床パネル、前記柱パネル、前記天井パネル及び前記ガセットをリベットにより一体に形成し、前記制御盤の組立を行う第４工程と、
前記第４工程の完了後、前記制御盤を垂直に起こして設置場所に設置する第５工程と、を備えたことを特徴とする制御盤の製造方法。
【発明の詳細な説明】
【技術分野】
【０００１】
この発明は、制御盤及びその製造方法に関するものである。
【背景技術】
【０００２】
従来における制御盤においては、長方形の枠体からなり、側部にリベット締結穴が形成されたパネル枠と、前記パネル枠に取り付けられ、制御用品が取り付けられた取付パネルと、前記取付パネルに取り付けられた配線ダクトと、前記パネル枠の下部側面に配設した下部端子台と、正面視略コ字型を呈し、前記パネル枠の上部の両側に配置された上部サポートと、正面視略コ字型を呈し、前記パネル枠の下部の両側に配置された下部サポートと、長方形の枠体からなり、前記上部サポート及び前記下部サポートの両外側にそれぞれ設けられた扉取付枠と、把手を有し、それぞれの前記扉取付枠に開閉自在に取り付けられた扉と、を備え、前記制御用品の各端子と前記下部端子台の各端子を接続する電線を配線ダクト内を通して行うものが知られている（例えば、特許文献１の図３及び図４参照）。
【０００３】
【特許文献１】特開平１１−２５２７１７号公報
【発明の開示】
【発明が解決しようとする課題】
【０００４】
しかしながら、特許文献１に示された従来における制御盤においては、パネル枠及び扉取付枠は、当該制御盤を正面視したときの幅寸法及び高さ寸法と同じ寸法をもつ長方形の枠体であるとともに、上部サポート及び下部サポートは正面視略コ字型かつ相応の奥行寸法をもつ部材であって、いずれも寸法が大きく非常にかさばる形状であり、ストックとして保管する際に必要とする保管スペースが大きく、保管場所の利用効率が低下するという課題がある。
また、制御盤を構成する各部材の用途及び形状が、それぞれについて特定化されており共通して使用することができないため、部材製造工程及び制御盤の組立工程において作業効率が低下するという課題もある。
さらに、制御盤に収納する制御用品の数量が、取付パネルに取付・収納することができる制御用品の数量の上限を１個でも超過した場合、この超過した１個の制御用品を収納するために別途もう１つの制御盤が必要となるため、制御盤に対する制御用品の収納効率が低下するという課題や、この別途必要となった制御盤を追加製造するために製造費用がかかるとともに追加作業が必要となるという課題がある。
【０００５】
この発明は、前述のような課題を解決するためになされたもので、第１の目的は、制御盤を構成する各部材の形状が簡潔かつ他部材と共通して使用することが可能であって、ストックとして保管する際に必要とする保管スペースが小さく、保管場所の利用効率が良好であるとともに、部材製造工程及び制御盤の組立工程における作業効率が良好である制御盤及びその製造方法を得るものである。
また、第２の目的は、制御盤に対する制御用品の収納効率が良好である制御盤及びその製造方法を得るものである。
【課題を解決するための手段】
【０００６】
この発明に係る制御盤においては、制御盤に収納する制御用品を取り付ける取付パネルと、前記制御盤の底面を形成する床パネルと、前記制御盤の上面を形成し、前記床パネルと同一形状の天井パネルと、前記床パネルの四隅部と前記天井パネルの四隅部との間にそれぞれ立設され、上下対称の形状を呈し、パネル取付部を有する柱パネルと、前記床パネルと前記柱パネルとの係合部及び前記天井パネルと前記柱パネルとの係合部にそれぞれ宛がわれるガセットと、を備え、前記柱パネルは、互いに同一形状であり、前記ガセットは、互いに同一形状であり、前記取付パネルは、前記柱パネルの前記パネル取付部を利用して取り付けられる構成とする。
【０００７】
この発明に係る制御盤の製造方法においては、以上のような構成の制御盤を製造する方法であって、前記取付パネルを製造する第１工程と、水平な場所にて前記取付パネルに対して前記制御用品の取付及び結線作業を行う第２工程と、前記第２工程の開始後、前記第２工程の完了に合わせて、前記床パネル、前記柱パネル、前記天井パネル及び前記ガセットを製造する第３工程と、前記取付パネル、前記床パネル、前記柱パネル、前記天井パネル及び前記ガセットをリベットにより一体に形成し、前記制御盤の組立を行う第４工程と、前記第４工程の完了後、前記制御盤を垂直に起こして設置場所に設置する第５工程と、を備えたものとする。
【発明の効果】
【０００８】
この発明は制御盤において、制御盤に収納する制御用品を取り付ける取付パネルと、前記制御盤の底面を形成する床パネルと、前記制御盤の上面を形成し、前記床パネルと同一形状の天井パネルと、前記床パネルの四隅部と前記天井パネルの四隅部との間にそれぞれ立設され、上下対称の形状を呈し、パネル取付部を有する柱パネルと、前記床パネルと前記柱パネルとの係合部及び前記天井パネルと前記柱パネルとの係合部にそれぞれ宛がわれるガセットと、を備え、前記柱パネルは、互いに同一形状であり、前記ガセットは、互いに同一形状であり、前記取付パネルは、前記柱パネルの前記パネル取付部を利用して取り付けられる構成としたことで、制御盤を構成する各部材の形状が簡潔かつ他部材と共通して使用することが可能であって、ストックとして保管する際に必要とする保管スペースが小さく、保管場所の利用効率が良好であるとともに、部材製造工程及び制御盤の組立工程における作業効率が良好であるという効果を奏する。
【０００９】
また、この発明は制御盤の製造方法において、以上のような構成の制御盤を製造する方法であって、前記取付パネルを製造する第１工程と、水平な場所にて前記取付パネルに対して前記制御用品の取付及び結線作業を行う第２工程と、前記第２工程の開始後、前記第２工程の完了に合わせて、前記床パネル、前記柱パネル、前記天井パネル及び前記ガセットを製造する第３工程と、前記取付パネル、前記床パネル、前記柱パネル、前記天井パネル及び前記ガセットをリベットにより一体に形成し、前記制御盤の組立を行う第４工程と、前記第４工程の完了後、前記制御盤を垂直に起こして設置場所に設置する第５工程と、を備えたものとしたことで、制御盤を構成する各部材のストックとして保管しなければならない数量を少なくすることができるとともに、取付パネルに対する制御用品の取付及び結線作業のみならず、制御盤の組立作業も水平な場所で行うことができ、作業性が一段と向上するという効果がある。
【発明を実施するための最良の形態】
【００１０】
この発明を添付の図面に従い説明する。各図を通じて同符号は同一部分又は相当部分を示しており、その重複説明は適宜に簡略化又は省略する。
【００１１】
実施の形態１．
図１及び図２は、この発明の実施の形態１に関するもので、図１は制御盤の斜視図、図２は制御盤の分解斜視図である。なお、これらの図では、制御盤前面に開閉自在に設けられた扉並びに制御盤の側面及び背面にそれぞれ設けられたカバーの図示を省略している。
図において２は、制御盤１に収納する制御用品３を取り付ける取付パネルであり、この制御盤１は片面保守である、すなわち前記取付パネル２のいずれか片面のみに前記制御用品３が取り付けられている。また、前記取付パネル２には、この前記取付パネル２に取り付けられたそれぞれの前記制御用品３同士を接続する配線を収容するためのダクト（図示せず）が取り付けられている。
前記取付パネル２は正面視略長方形の平板材であり、その左右両側面部には他部材とリベットにより結合するためのリベット結合孔４が穿設されている。
【００１２】
前記制御盤１の底部には、平面視略長方形の薄板材からなる床パネル５が配置されており、この床パネル５の四辺のそれぞれは上方へと折曲され、これら折曲部の四隅近傍には他部材とリベットにより結合するためのリベット結合孔４が穿設されている。
前記床パネル５の四隅部には柱パネル６がそれぞれ立設されて配置されている。
これら４つの柱パネル６は、断面略コ字型の柱状材で、その長辺のうちの一方が折曲されてパネル取付部６ａが形成されている。そして、これらの前記柱パネル６の上端部近傍及び下端部近傍にはリベット結合孔４が穿設されており、また、前記パネル取付部６ａにもその長手方向に沿って等間隔にリベット結合孔４が穿設されている。
【００１３】
これらの前記柱パネル６は、上下対称であって互いに全て同一形状である。そして、前記制御盤１の前面側に配置された２つの前記柱パネル６については、その前記パネル取付部６ａが前記制御盤１の背面側に位置する向きで前記床パネル５に対して立設され、前記制御盤１の背面側に配置された２つの前記柱パネル６については、その前記パネル取付部６ａが前記制御盤１の前面側に位置する向きで前記床パネル５に対して立設されている。
なお、これらの前記柱パネル６には、複数の前記制御盤１を並列して配置する際に、互いに連結するための列盤孔６ｂが穿設されている。
【００１４】
前記制御盤１の上面には、天井パネル７が配設されている。この天井パネル７は、前記床パネル５と同一形状である、すなわち、平面視略長方形の薄板材からなり、その四辺のそれぞれは上方へと折曲され、これら折曲部の四隅近傍にはリベット結合孔４が穿設されている。そして、前記天井パネル７の四隅部は、前記床パネル５の四隅部のそれぞれに立設された前記柱パネル６の上端部が、それぞれ係合している。
前記床パネル５四隅と前記柱パネル６下端との係合部及び前記天井パネル７四隅と前記柱パネル６上端との係合部のそれぞれには計８つの互いに同一形状を呈するガセット８が宛がわれて係合部の補強がされた上で、前記リベット結合孔４を用いて図示しないリベットによりそれぞれ接合されている。また、前記取付パネル２左右両側面部は、前記制御用品３の取付面が前記制御盤１の前面側になるようにして前記制御盤１の背面側に配置された２つの前記柱パネル６の前記パネル取付部６ａとそれぞれ係合し、前記リベット結合孔４を用いて図示しないリベットによりそれぞれ接合されている。
【００１５】
このような構成を持つ前記制御盤１は次のようにして製造される。
まず、第１工程として、前記制御盤１に収納する前記制御用品３及びこれらの前記制御用品３間の結線収容に用いられる前記ダクトの取付に必要な孔加工が施された前記取付パネル２を製造する。
次に、第２工程として、水平な場所にて前記取付パネル２の片面に対して前記制御用品３の取付・実装を行い、必要な結線作業を実施する。
そして、第３工程として、第２工程の完了後、前記床パネル５、前記柱パネル６、前記天井パネル７及び前記ガセット８を製造する。すなわち、これらの部材は、前記取付パネル２の製造と同時期に製造されるのではなく、前記取付パネル２に対する前記制御用品３の取付及び結線作業の完了に合わせて製造される。
【００１６】
続く第４工程は、前記制御盤１の組立工程であり、前記制御用品３の取付及び結線作業の完了した前記取付パネル２の左右両側面部を所定の向きで２つの前記柱パネル６の前記パネル取付部６ａへと係合させ、前記リベット結合孔４を用いて前記リベットにより接合する。そして、前記取付パネル２と接合された２つの前記柱パネル６が前記制御盤１の背面側に、残り２つの前記柱パネル６が前面側になるように配置した上で、前記床パネル５四隅と前記柱パネル６下端とを係合させ、また、前記天井パネル７四隅と前記柱パネル６上端とを係合させて、これらのそれぞれにガセット８を宛がい、前記リベット結合孔４を用いて前記リベットによりそれぞれ接合することにより、前記制御盤１を一体に形成する。
その後、第５工程において、前記制御盤１を垂直に起こして設置場所に設置する。
なお、必要に応じて、前記制御盤１の前面に開閉自在な前記扉が、また、前記制御盤１の両側面及び背面に前記カバーが適宜設けられる。
【００１７】
以上のように構成された制御盤においては、床パネルと天井パネルとを同一形状とし、４本の柱パネルについても上下対称かつ互いに同一な形状とし、さらにリベット接合部の補強に用いられるガセットについても互い同一形状とした上で、片面保守の取付パネルの左右両側面部を制御盤の背面側に位置する２つの柱パネルのパネル取付部に係合させて取り付ける構成としたことで、制御盤を構成する各部材の形状が簡潔かつ他部材と共通して使用することが可能であって、ストックとして保管する際に必要とする保管スペースが小さく、保管場所の利用効率が良好であるとともに、部材製造工程及び制御盤の組立工程における作業効率が良好である。
【００１８】
また、以上のように構成された制御盤の製造方法においては、水平な場所にて取付パネルに対して制御用品の取付及び結線作業を行う第２工程の開始後、この第２工程の完了に合わせて、床パネル、柱パネル、天井パネル及びガセットを製造する第３工程を行うことにより、制御盤を構成する各部材のストックとして保管しなければならない数量を少なくすることが可能である。
さらに、取付パネル、床パネル、柱パネル、天井パネル及びガセットをリベットにより一体に形成し、制御盤の組立を行う第４工程の完了後、制御盤を垂直に起こして設置場所に設置する第５工程を行うことにより、取付パネルに対する制御用品の取付及び結線作業のみならず、制御盤の組立作業も水平な場所で行うことができ、作業性を一段と向上させることができる。
【００１９】
実施の形態２．
図３は、この発明の実施の形態２に関するもので、図１中の断面Ｘ−Ｘによる断面図に相当する図である。
前述した実施の形態１は、片面保守、換言すれば取付パネルのいずれか片面のみに制御用品が取り付けられているものであったが、ここで説明する実施の形態２は、前述した実施の形態１の構成において、両面保守、換言すれば取付パネルの両面に制御用品を取り付けるようにしたものである。
【００２０】
すなわち、前記取付パネル２の前面及び背面の両面には、前記制御盤１に収納する前記制御用品３及びそれぞれの前記制御用品３同士を接続する配線を収容するための前記ダクトが取り付けられている。
そして、前記取付パネル２左右両側面部の上端寄り及び下端寄りそれぞれの前記リベット結合孔４には、計４つの側面サポートパネル９が前記リベットによりそれぞれ接合されている。
これらの側面サポートパネル９は、互いに同一形状であって長方形を呈する薄板材からなり、その長手は略水平かつ前記制御盤１の奥行方向に配置されている。また、これらの側面サポートパネル９の長手方向に沿って等間隔にリベット結合孔４が穿設されており、前記取付パネル２の左右両側面部の上端寄り及び下端寄りそれぞれの前記リベット結合孔４と、これらの前記側面サポートパネル９の中央部の前記リベット結合孔４とが係合している。
【００２１】
これらの前記側面サポートパネル９の両端部寄り、すなわち、前記制御盤１の前面寄り及び背面寄りの前記リベット結合孔４は、前記柱パネル６の前記パネル取付部６ａの上端寄り及び下端寄りそれぞれの前記リベット結合孔４と係合し、前記リベットによりそれぞれ接合されることにより、これらの前記側面サポートパネル９を仲介として前記取付パネル２が前記柱パネル６により支持される。従って、前記側面サポートパネル９は、前記制御盤１の両側面側の両方に配置されることとなる。
また、前記制御盤１の前面及び背面には、扉１０が開閉自在に設けられている。
なお、他の構成は実施の形態１と同様である。
【００２２】
このような構成を持つ前記制御盤１は前述した実施の形態１に準じた、ほぼ同様の工程により製造される。
すなわち、まず、第１工程として、前記制御盤１に収納する前記制御用品３及びこれらの前記制御用品３間の結線収容に用いられる前記ダクトの取付に必要な孔加工が施された前記取付パネル２を製造する。
次に、第２工程として、水平な場所にて前記取付パネル２の両面に対して前記制御用品３の取付・実装を行い、必要な結線作業を実施する。
そして、第３工程として、第２工程の完了後、前記床パネル５、前記柱パネル６、前記天井パネル７、前記ガセット８及び前記側面サポートパネル９を製造する。すなわち、これらの部材は、前記取付パネル２の製造と同時期に製造されるのではなく、前記取付パネル２に対する前記制御用品３の取付及び結線作業の完了に合わせて製造される。
【００２３】
続く第４工程は、前記制御盤１の組立工程であり、前記制御用品３の取付及び結線作業の完了した前記取付パネル２の左右両側面部の上端寄り及び下端寄りそれぞれの前記リベット結合孔４と、前記側面サポートパネル９の中央部の前記リベット結合孔４とを係合させ、前記リベット結合孔４を用いて前記リベットにより接合する。次に、これらの前記側面サポートパネル９の両端部寄りの前記リベット結合孔４を、前記柱パネル６の前記パネル取付部６ａの上下端寄りそれぞれの前記リベット結合孔４と係合させ、前記リベットによりそれぞれ接合する。
そして、前記取付パネル２と前記側面サポートパネル９を介して接合された４つの前記柱パネル６の下端を、前記床パネル５四隅と係合させ、また、これらの前記柱パネル６の上端と前記天井パネル７四隅とを係合させて、これらのそれぞれにガセット８を宛がい、前記リベット結合孔４を用いて前記リベットによりそれぞれ接合することにより、前記制御盤１を一体に形成する。
その後、第５工程において、前記制御盤１を垂直に起こして設置場所に設置する。
なお、必要に応じて、前記制御盤１の前面及びに開閉自在な前記扉１０が、また、前記制御盤１の両側面に前記カバーが適宜設けられる。
【００２４】
以上のように構成された制御盤及びその製造方法においては、柱パネルのパネル取付部間に制御盤の奥行方向と平行に取り付けられ、互いに同一形状を呈する複数の側面サポートパネルを備えるとともに、その両面に制御用品が取り付けられた取付パネルを、柱パネルのパネル取付部に側面サポートパネルを仲介として取り付けることにより、両面保守の制御盤の場合においても実施の形態１と同様の効果を奏することができる。
【００２５】
実施の形態３．
図４は、この発明の実施の形態３に関するもので、図１中の断面Ｙ−Ｙによる断面図に相当する図である。
ここで説明する実施の形態３は、前述した実施の形態１又は実施の形態２の構成において、制御盤の側面にも制御用品を取り付けることができるようにしたものである。
すなわち、側面取付パネル１１の片面又は両面には、前記制御盤１に収納する前記制御用品３及びそれぞれの前記制御用品３同士を接続する配線を収容するための前記ダクトが取り付けられている。この側面取付パネル１１の上端部及び下端部には、他部材とリベットにより結合するためのリベット結合孔４が穿設されており、これらの前記リベット結合孔４には側面サポートパネル９が前記リベットによりそれぞれ接合されている。
これらの側面サポートパネル９は、前述した実施の形態２において説明した前記側面サポートパネル９と同一形状であって、すなわち、長方形を呈する薄板材からなり、その長手方向に沿って等間隔にリベット結合孔４が穿設されている。そして、前記側面取付パネル１１の上端部及び下端部それぞれの前記リベット結合孔４と、これらの前記側面サポートパネル９の両端部以外の前記リベット結合孔４とが係合している。
【００２６】
これらの前記側面サポートパネル９の両端部寄りの前記リベット結合孔４は、前記柱パネル６の前記パネル取付部６ａの上端寄り及び下端寄りそれぞれの前記リベット結合孔４と係合し、前記リベットによりそれぞれ接合されることにより、これらの前記側面サポートパネル９を仲介として前記側面取付パネル１１が前記柱パネル６により支持される。従って、前記側面サポートパネル９は、前記制御盤１の両側面側のうち前記側面取付パネル１１を取り付けるいずれか一方のみに配置すれば十分である。もちろん前記制御盤１の両側面側の両方に前記側面取付パネル１１を取り付ける場合には、前記側面サポートパネル９は、前記制御盤１の両側面側の両方に配置されることとなる。
また、前記制御盤１の前面、背面及び両側面には、必要に応じて適宜、開閉自在な前記扉又は前記カバーが設けられている。
なお、他の構成は実施の形態１又は実施の形態２と同様である。
【００２７】
このような構成を持つ前記制御盤１は前述した実施の形態１又は実施の形態２に準じた、ほぼ同様の工程により製造される。
すなわち、まず、第１工程として、前記制御盤１に収納する前記制御用品３及びこれらの前記制御用品３間の結線収容に用いられる前記ダクトの取付に必要な孔加工が施された前記取付パネル２及び前記側面取付パネル１１を製造する。
次に、第２工程として、水平な場所にて前記取付パネル２及び前記側面取付パネル１１に対して前記制御用品３の取付・実装を行い、必要な結線作業を実施する。
そして、第３工程として、第２工程の完了後、前記床パネル５、前記柱パネル６、前記天井パネル７、前記ガセット８及び前記側面サポートパネル９を製造する。すなわち、これらの部材は、前記取付パネル２の製造と同時期に製造されるのではなく、前記取付パネル２及び前記側面取付パネル１１に対する前記制御用品３の取付及び結線作業の完了に合わせて製造される。
【００２８】
続く第４工程は、前記制御盤１の組立工程であり、前述した実施の形態１又は実施の形態２の工程に従って前記制御用品３の取付及び結線作業の完了した前記取付パネル２を前記柱パネル６により支持されるように取り付ける作業を行うとともに、前記制御用品３の取付及び結線作業の完了した前記側面取付パネル１１の上端寄り及び下端寄りそれぞれの前記リベット結合孔４と、前記側面サポートパネル９の前記リベット結合孔４とを係合させ、前記リベット結合孔４を用いて前記リベットにより接合する。
次に、これらの前記側面サポートパネル９の両端部寄りの前記リベット結合孔４を、前記柱パネル６の前記パネル取付部６ａの上下端寄りそれぞれの前記リベット結合孔４と係合させ、前記リベットによりそれぞれ接合する。
そして、前記床パネル５四隅と前記柱パネル６下端とを係合させ、また、前記天井パネル７四隅と前記柱パネル６上端とを係合させて、これらのそれぞれにガセット８を宛がい、前記リベット結合孔４を用いて前記リベットによりそれぞれ接合することにより、前記制御盤１を一体に形成する。
その後、第５工程において、前記制御盤１を垂直に起こして設置場所に設置する。
なお、両面保守の前記取付パネル２を支持するのに用いられる前記側面サポートパネル９と前記側面サポートパネル９を支持するのに用いられる前記側面サポートパネル９とは、当然兼用することが可能である。また、必要に応じて、前記制御盤１の前面、背面及び両側面には開閉自在な前記扉又は前記カバーが適宜設けられる。
【００２９】
以上のように構成された制御盤及びその製造方法においては、実施の形態１又は実施の形態２と同様の効果を奏することができるのに加えて、制御盤に収納する制御用品を取り付ける取付パネルとは別体の側面取付パネルと、柱パネルのパネル取付部間に制御盤の奥行方向と平行に取り付けられ、互いに同一形状を呈する複数の側面サポートパネルと、をさらに備えるとともに、側面取付パネルを、制御盤の側面に配置して柱パネルのパネル取付部に側面サポートパネルを仲介として取り付けることにより、制御盤に対する制御用品の収納効率が良好であり、制御盤に収納する制御用品の数量が、取付パネルに取付・収納することができる制御用品の数量の上限を超過した場合であっても、この超過した制御用品を側面取付パネルに収納することが可能であって、収納するために別途もう１つの制御盤が必要とならない。
【図面の簡単な説明】
【００３０】
【図１】この発明の実施の形態１における制御盤の斜視図である。
【図２】この発明の実施の形態１における制御盤の分解斜視図である。
【図３】この発明の実施の形態２における図１中の断面Ｘ−Ｘによる断面図に相当する図である。
【図４】この発明の実施の形態３における図１中の断面Ｙ−Ｙによる断面図に相当する図である。
【符号の説明】
【００３１】
１    制御盤
２    取付パネル
３    制御用品
４    リベット結合孔
５    床パネル
６    柱パネル
６ａ  パネル取付部
６ｂ  列盤孔
７    天井パネル
８    ガセット
９    側面サポートパネル
１０    扉
１１    側面取付パネル
【図１】
2010093877.tif 000003
【図２】
2010093877.tif 000004
【図３】
2010093877.tif 000005
【図４】
2010093877.tif 000006